(57)【要約】【課題】  比較的大型のテレビ等の画像表示装置を壁に沿うように安定して安全に取り付けることができ、しかもアンテナ線等の配線類が外部に露出するようなことなく取り付ける。【解決手段】  テレビやモニター等の画像表示装置Ｌを壁Ｄに沿わせるように取り付けるに際して、断面がコ字状のスペーサＰ１（Ａ〜Ｄ）を所定間隔で配置して、側面板Ｓｒ、正面板Ｓｓ１，Ｓｓ２等のスペースユニットＳｎを壁Ｄに沿うようにして組み付け、このスペースユニットＳｎの正面板Ｓｓ１に対して上記画像表示装置Ｌを取り付ける。【選択図】  図１
2010062796.tif 000002
【特許請求の範囲】
【請求項１】
テレビやモニター等の画像表示装置を壁に沿わせるように取り付けるに際して、断面がコ字状のスペーサを所定間隔で配置して、側面板、正面板等のスペースユニットを壁に沿うようにして組み付け、このスペースユニットの正面板に対して上記画像表示装置を取り付けることを特徴とする画像表示装置用スペースユニットの取り付け方法。
【請求項２】
前記コ字状のスペーサを前記正面板に取り付けてから壁の中の桟に対して前記コ字状のスペーサを打ち付けるか、又は、前記コ字状のスペーサを壁の中の桟に対して打ち付けてから前記コ字状のスペーサに前記正面板を取り付けることを特徴とする請求項１記載の画像表示装置用スペースユニットの取り付け方法。
【請求項３】
前記正面板は、複数枚を一組とするか、又は、ＡＶキャビネットと組み合わせて使用されるもので、これらが互いの凹凸部により連結されるものであることを特徴とする請求項２記載の画像表示装置用スペースユニットの取り付け方法。
【請求項４】
テレビやモニター等の画像表示装置を壁に沿わせるように取り付けるに際して、断面がコ字状のスペーサを使用して、側面板、正面板等のスペースユニットを壁に沿うようにして組み付け、このスペースユニットの正面板に対して上記画像表示装置を取り付けることを特徴とする画像表示装置用スペースユニットの取り付け構造。
【請求項５】
画像表示装置がスピーカを備えるものであり、前記コ字状のスペーサと前記正面板や側面板等のスペースユニットが木製であり、スペースユニットは内部空洞の状態であるか、又は、内部に吸音材を配して取り付けられることを特徴とする請求項４記載の画像表示装置用スペースユニットの取り付け構造。
【請求項６】
前記正面板は、複数枚を一組とするか、又は、ＡＶキャビネットと組み合わせて使用されるもので、これらが互いの凹凸部により連結されるものであることを特徴とする請求項２記載の画像表示装置用スペースユニットの取り付け構造。
【発明の詳細な説明】
【技術分野】
【０００１】
本発明は、リビングやショールーム等の壁にテレビやモニター等の画像表示装置を壁に沿わせるように取り付ける画像表示装置用スペースユニットに関するものであり、特に、大型で薄型のテレビを壁に沿わせるように取り付けるに好適な画像表示装置用スペースユニットの取り付け方法及び取り付け構造に関する。
【背景技術】
【０００２】
近年の液晶テレビやプラズマテレビ等の画像表示装置の開発は著しいところであるが、昨今の傾向としては薄型でかつ大型化の傾向にあり、一戸建て住宅やマンションにおいて、この大型のテレビをリビング等の視聴する部屋にどのように配置するかが問題になっている。また、ショールームやイベント会場等においても、大型のテレビやモニター等の画像表示装置をそのショールームの壁（開催時に一時的に設けられる壁）にどのように取り付けるかが問題になることがある。イベント会場では、例えば、パソコンとの接続端子を有する液晶テレビと接続してパソコンからのデータを表示させることがあるが、そのための液晶テレビ等の画像表示装置が大型化の傾向にあり、これを短期間開催のために素早く頑丈に取り付けられるようにする必要がある。
【０００３】
リビング等の壁に液晶テレビ等の画像表示装置を取り付け具（取り付け金具）を介して取り付けるものとしては特許文献１や２等がある。
【特許文献１】実用新案登録第３１１０７００号公報
【特許文献２】特開２０００−３１２３１８号公報
【発明の開示】
【発明が解決しようとする課題】
【０００４】
しかしながら、上記特許文献１や２等のような取り付け金具を使用するとしても、リビング等の壁に取り付け金具に使用されるネジやネジにより壁に大きな穴を開けなければ取り付けることはできない（特許文献１、２）。また、リビング等の壁に３７インチ程度以上の液晶テレビを壁に沿わせるように取り付ける場合には、薄くてもそれなりの重量を有することから、既存の壁では支えきれないおそれがある。このために壁を壊したり壁を補強したりして、支えることができるような壁にしてから上記大型の液晶テレビを取り付けることも行われることある。また、上記取り付け金具を使用して大型の画像表示装置を取り付ける際に不安定な姿勢で取り付けたりすると危険な場合がある。なお、電源との接続やアンテナ線やビデオ、ＤＶＤやシアタースピーカ等の配線が外部に露出して外観上好ましくないという問題も有する。
【０００５】
また、上記特許文献１等のような取り付け金具を介して画像表示装置を取り付けると、壁からの振動（隣の部屋からの音等）が上記壁に伝わって、画像表示装置の設計音質を維持することが困難である。
そして、上記イベント会場等では、正確で容易に早く組み立てる必要があるが（さらに分解のし易さも必要である。）、一般の家庭でも、リフォームの観点からは、部屋の場所や大きさに応じて安定したものであり、そして容易に早く組み立てられる必要がある。
【０００６】
そこで本発明の目的は、リビング等の壁に大きな穴を開ける必要がなく、比較的大型のテレビ等の画像表示装置を壁に沿うように安定して安全に取り付けることができ、しかもアンテナ線等の配線類が外部に露出するようなことなく取り付けることができるとともに、組み立てが容易で早く正確に組み立て可能な画像表示装置用スペースユニットの取り付け方法及び取り付け構造にある。
【課題を解決するための手段】
【０００７】
本発明のスペースユニットの取り付け方法と取り付け構造は、テレビやモニター等の画像表示装置を壁に沿わせるように取り付けるに際して、断面がコ字状のスペーサを所定間隔で配置して、側面板、正面板等のスペースユニットを壁に沿うようにして組み付け、このスペースユニットの正面板に対して上記画像表示装置を取り付けることを特徴とする。断面がコ字状のスペーサは、壁とネジで取り付けても、接着剤で取り付けても良い。
【０００８】
本発明によれば、リビングやショールーム等の壁の所定箇所に断面がコ字状のスペーサを使用して取り付ける。スペーサを取り付ける姿勢は、縦でも横でも斜めでもよい。予期し得ない突起物があるときは、これを避けた位置に断面がコ字状のスペーサを配する。そして、断面がコ字状のスペーサを基準位置として、これに沿わせるように正面板や側面板を順次取り付ければ、誰もが正確に容易に早く画像表示装置用スペースユニットを取り付けることができる。
【０００９】
本発明のスペースユニットの取り付け方法と取り付け構造は、前記コ字状のスペーサを前記正面板に取り付けてから壁の中の桟に対して前記コ字状のスペーサを打ち付けるか、又は、前記コ字状のスペーサを壁の中の桟に対して打ち付けてから前記コ字状のスペーサに前記正面板を取り付けることが好ましい。
【００１０】
本発明によれば、例えば比較的大きな画像表示装置を取り付ける場合、上記正面板の補強として上記壁の桟に対して所定間隔で取り付けてから、前記正面板を取り付ければ、安定して比較的大きな画像表示装置を取り付けることができる。
【００１１】
本発明のスペースユニットの取り付け方法と取り付け構造は、前記正面板は、複数枚を一組とするか、又は、ＡＶキャビネットと組み合わせて使用されるもので、これらが互いの凹凸部により連結されるものであることが好ましい。
【００１２】
本発明によれば、例えば比較的大きな画像表示装置を取り付ける場合、前記取り付け具のネジを使用して、前記桟又は前記コ字状のスペーサにも及ぶようにネジを指し込むか、又は、前記桟及び前記コ字状のスペーサにも及ぶようにネジを指し込むことにより、安定して比較的大きな画像表示装置を取り付けることができる。また、前記組み立て前の正面板に画像表示装置を取り付け具を介して取り付けてから上記桟等に取り付ける方法により、大型の画像表示装置でも安全に取り付けることができる。
【００１３】
本発明のスペースユニットの取り付け構造は、画像表示装置がスピーカを備えるものであり、前記コ字状のスペーサと前記正面板や側面板等のスペースユニットが木製であり、スペースユニットは内部空洞の状態であるか、又は、内部に吸音材を配して取り付けられることが好ましい。吸音材としては、ガラスウール、ウレタンスポンジ等である。
【００１４】
本発明によれば、前記コ字状のスペーサと前記スペースユニットが木製であり、スペースユニットは内部空洞の状態で取り付けられるか、又は、内部に吸音材を配して取り付けられることから、共振しないために、スピーカを備えた画像表示装置の音質をこれを視聴する者に綺麗に伝えることとなる。また、スペースユニットが取り付けられる側の壁の側からの隣の部屋からの雑音も伝わり難い構造になる。
【発明の効果】
【００１５】
本発明によれば、断面がコ字状のスペーサと、側面板、正面板等のスペースユニットをセットして現場に持ち込んで、断面がコ字状のスペーサを基準位置として正面板、側面板を順次取り付けて行けばよいので、取り付ける対象の壁に予期し得ない突起物があっても、これを避けた位置に断面がコ字状のスペーサを配することにより、誰もが正確で、容易に、しかも早くスペースユニットを取り付けることが可能になる。そして、前記正面板は、大きさの異なる複数枚を一組とするもので、正面板のバリエーションに変化を持たせることができるとともに、これら複数枚の正面板は互いの凹凸部により連結されることで、比較的大型の画像表示装置を安定して取り付けることが可能になる。さらに、スペースユニットが取り付けられる側の壁の側からの隣の部屋からの雑音も伝わり難い構造になり、前記コ字状のスペーサと前記正面板や側面板等のスペースユニットが木製であり、内部空洞の状態で取り付けられることにより、取り付けられる画像表示装置の音が綺麗にこれを視聴する者に伝わらせることが可能になる。
【発明を実施するための最良の形態】
【００１６】
以下、本発明の一実施の形態を図面を参照して詳細に述べる。
【００１７】
（第１の実施の形態）
本実施の形態は、一戸建て住宅やマンションの壁に本発明を適用したものであり、図１は、５０インチ程度の液晶テレビを取り付けた状態を示す斜視図である。また、図２は、本実施の形態で液晶テレビを壁掛けにする取り付けユニットを示す。図２に示すように、取り付けユニットＳｎ１は、２枚の正面板Ｓｓ１，Ｓｓ２と、左右の側面板Ｓｒと、所定数のコ字状のスペーサＰ１（Ａ〜Ｄ）である。また、ＡＶキャビネットＣａを有するが、これは市販品を使用することもできる。本実施の形態では、リビング等の壁Ｄに沿うように取り付けられた画像表示装置用スペースユニットＳｎ１が組み付けられている。正面板Ｓｓ２には、配線類を通す穴ａが形成されている（図２（ａ））。なお、上記配線類は、壁Ｄに配されるコンセントに連結される（図１２参照）。
【００１８】
リビングの壁Ｄに沿うように、側面板、正面板等のスペースユニットＳｎ１が組み立てられている。このスペースユニットＳｎ１は、コ字状のスペーサＰ１（Ａ〜Ｄ）とともに、左右の側面板Ｓｒと正面板Ｓｓ１，Ｓｓ２とＡＶキャビネットＣａを所定のユニットＳｎ１としている。正面板Ｓｓ１，Ｓｓ２は、パーティクルボード等の装飾的ボードが使用され、本実施の形態では２枚の飾り板が組み合わされている。２枚の正面板Ｓｓ１，Ｓｓ２は、大きさの異なるものが使用されている。２枚の正面板Ｓｓ１とＳｓ２の横方向の長さは同じで、縦方向の長さは、下方側の正面板Ｓｓ２の高さＨ１が上方の正面板Ｓｓ２の高さＨ２よりも高い。また、下方側の正面板Ｓｓ２の上下には、凸部ｔ２が設けられ、上方の正面板Ｓｓ２の下方と下方の正面板Ｓｓ３の上方には、上記凸部ｔ２に対応する凹部ｔ１，ｔ３が設けられている（図８）。上記スペースユニットＳｎ１の大きさは、床面Ｆａから天上Ｆｔ近くまでの高さ（２５００ｍｍ）があり、各側面板Ｓｒの幅（奥行き）１００ｍｍである。このスペースユニットＳｎ１の大きさ（正面側の面積）は、上記５０インチの液晶テレビ（1098×621）の少なくとも４倍〜６倍以上の面積を有している。左右の側面板ＳｒとＳｒの幅は１６００ｍｍである。このため、上記５０インチの液晶テレビでも十分に支持できる壁の大きさになっている。ＡＶキャビネットＣａには凹部ｔ１が形成され、下方側の正面板Ｓｓ１の上下には凸部ｔ２が形成され、上方側の正面板Ｓｓ２には凹部ｔ３が形成され、これらがはめ合わせられる構造になっている（図８）。
【００１９】
上記画像表示装置Ｌを壁Ｄに沿わせるように取り付けるに際して、断面がコ字状のスペーサＰ１（Ａ〜Ｄ）を介して正面板Ｓｓに取り付けている。断面がコ字状のスペーサＰ１（Ａ〜Ｄ）としては、コ字状のスペーサＰ１Ａ（図２４）、コ字状の側面に四角形状のスペーサＰｄを嵌め込んでコ字状部分が補強されたコ字状のスペーサＰ１Ｂ（図２５）、コ字状のスペーサに予めねじ穴加工が施されたコ字状のスペーサＰ１Ｃ（図２６）等が考えられる。本実施の形態のスペーサは、いずれも木製であり、これ側面板Ｓｒと正面板Ｓｓ１，Ｓｓ２等が木製であることに対応させている。断面がコ字状のスペーサＰ１（Ａ〜Ｄ）は、いずれも木製板を組み合わせて直角部分（９０度）がだせるように組み合わせられている。したがって、２組以上のコ字状のスペーサＰ１（Ａ〜Ｄ）を各々組み合わせて使用しても良い。図２４に示すコ字状のスペーサＰ１Ａは、対向する一方辺Ｐａが他方辺Ｐｂよりも長く形成されている。長い方の辺Ｐａを壁Ｄや床Ｆａや各板の背面等に向けて使用することで、取り付け姿勢が安定すると共に、視覚確認の状態を良好にして取り付ける工夫である。また、長い方の辺Ｐａに壁Ｄ等への取り付けのためのネジ孔を形成し、短い方の辺Ｐｂに配線類Ａｔ，Ｖｂの移動を防止するためのネジ孔を形成して使用することもできる。また、一方辺Ｐａと他方辺Ｐｂには、ネジを通すネジ孔ｎ１，ｎ２が形成されている。いずれも壁Ｄ等への取り付けとして使用できるが、一方辺Ｐａのネジ孔ｎ１は、壁Ｄへの取り付けとして使用し、他方辺Ｐｂのネジ孔ｎ２は、挟み込む配線類の固定のために使用しても良い。図１３と図１４中の符号Ｐ３は、上記配線類Ａｔ，Ｖｂの近傍位置に配されて、これに配線類Ａｔ，Ｖｂがかけまわしたりすることで、絡まないようにする役割を有する。コ字状のスペーサＰ１（Ａ〜Ｄ）としては、一方辺Ｐａと他方辺Ｐｂとが同じ長さのものを使用することも可能である。また、コ字状のスペーサＰ１（Ａ〜Ｄ）は、ネジ孔ｎ２にネジを通して壁Ｄに容易に取り付けることができる。そして、ネジを介して回転させれば、水平姿勢や垂直姿勢等を得ることができる。
【００２０】
コ字状のスペーサＰ１（Ａ〜Ｄ）は、例えば、側面板Ｓｒの取り付けに際しては、コ字状の中央連結部分Ｐｅを上にしたり、又、側面板Ｓｒの取り付けに際しては、コ字状の中央連結部分Ｐｅを横にして側面板Ｓｒの裏面と接するように取り付けたり、コ字状の中央連結部分Ｐｅを下にして床Ｆａと接するように取り付けることができる（図１３中の符号Ｐ４，Ｐ５に示すような取り付け方等種々な取り付けが可能である）。また、対向する一方辺Ｐａと他方辺Ｐｂとの間に四角形状のスペーサＰｄを嵌め込んで面一な面を更に形成して（図２５）、側面板Ｓｒの裏面等や、又、壁Ｄや床（面）Ｆａ等と接するように取り付けることもできる。そして、上記四角形状のスペーサＰｄに壁Ｄ等への取り付けのためのネジ孔を形成したり、配線類Ａｔ，Ｖｂの移動を防止するためのネジ孔を形成して使用することもできる。このような多様な使用が可能であり、これにより、側面板Ｓｒ等を垂直姿勢を維持して取り付けることができるとともに、いずれの姿勢も容易にかつ正確に取り付けることができる（第２の実施の形態を参照）。
【００２１】
本実施の形態は、記ＡＶキャビネットＣａと２枚の正面板Ｓｓを使用した場合の画像表示装置用スペースユニットの取り付け方法は次の通りである。
まず、上記ＡＶキャビネットＣａを組み立てる（図３（ａ））。また、下方側の正面板Ｓｓ２に、コ字状のスペーサＰ１（Ａ〜Ｄ）の一方辺Ｐａが突出するように取り付け（図３（ｂ））、上方側の正面板Ｓｓ１に、コ字状のスペーサＰ１（Ａ〜Ｄ）の一方辺Ｐａが突出しないように取り付ける（図３（ｃ））。そして、左右端のコ字状のスペーサＰ１（Ａ〜Ｄ）は、その端部Ｐａｆが正面板Ｓｓ１，Ｓｓ２の左右端部ｆと揃うように取り付ける。いずれもネジで取り付けるが、接着剤で取り付けても良い。
【００２２】
次いで、取り付ける壁面の下地（壁の中の桟）Ｓｋの位置を計測し、その位置に印を付ける。次いで、コ字状のスペーサＰ１Ａの付けられた正面板Ｓｓ２を上記ＡＶキャビネットＣａの上に配置する。すなわち、下方側の正面板Ｓｓ１の凸部ｔ２をＡＶキャビネットＣａの凹部ｔ１にはめ合わせ（図８）、正面板Ｓｓ１に取り付けたコ字状のスペーサＰ１（Ａ〜Ｄ）を使用して壁の中の桟Ｓｋに対してネジ止めする（図４、図５）。コ字状のスペーサＰ１（Ａ〜Ｄ）の他方辺Ｐｂは突出しているので、壁Ｄの中の桟Ｓｋに対して水平方向でネジ止めすることができる。
【００２３】
次いで、下方側の正面板Ｓｓ１の上に上方側の正面板Ｓｓ２を取り付ける。すなわち、上方側の正面板Ｓｓ２の凹部ｔ３を下方側の正面板Ｓｓ１の凸部ｔ２にはめ合わせ（図８）、正面板Ｓｓ２に取り付けたコ字状のスペーサＰ１（Ａ〜Ｄ）を使用して壁の中の桟Ｓｋに対してネジ止めする（図６）。コ字状のスペーサＰ１（Ａ〜Ｄ）の一方辺Ｐａは突出していないので、ここでは壁Ｄの中の桟Ｓｋに対して斜め上方からネジ止めする。次に、コ字状スペーサＰ１（Ａ〜Ｄ）のうちの左右のコ字状スペーサＰ１（Ａ〜Ｄ）に対して左右の側面板Ｓｒを取り付ける。左右の端部のコ字状のスペーサＰ１Ａは、正面板Ｓｓ１，Ｓｓ２の左右端部に沿って取り付けられているので、左右の側面板Ｓｒ，Ｓｒはそのまま左右の端部のコ字状のスペーサＰ１Ａに対して打ち付ければ良い。なお、打ち付けた後は、ネジ頭をキャップで化粧する。
【００２４】
次いで、正面板Ｓｓ１に液晶テレビ等の画像表示装置を取り付けるための取り付け金具Ｋを取り付ける。そして、この取り付け金具Ｋに対して液晶テレビ等の画像表示装置を取り付ける。このように取り付けると、図１に示すような取り付け状態になる。なお、画像表示装置Ｌを取り付け具Ｋを介して正面板Ｓｓに取り付けてからその正面板Ｓｓを取り付ける方法でも良い。
【００２５】
ここで、図１０に示すように、上記正面板Ｓｓは、３枚の正面板Ｓｓ１，Ｓｓ２，Ｓｓ３を使用するものでも良い。図９に示す例では、収納ユニットＳｕは、録画機器や有機ＥＬＴＶの場合の本体部等が収納されるＡＶキャビネットで、立て掛けるように下方の正面板Ｓｓ３に嵌め込まれ、下方の正面板Ｓｓ３の下方に凹状の切り欠き部Ｋｋが形成されている。収納ユニットＳｕは、これを立て掛け配置するときの底板がヒンジを介して９０度開くようになっている。すなわち、収納ユニットＳｕの正面板に乗るようにして取り出され、収納するときは、録画機器等を立てて収納するものである。
【００２６】
（第２の実施の形態）
本実施の形態は、一戸建て住宅やマンションの壁に本発明を適用したものであり、図１１は、５０インチ程度の液晶テレビを取り付けた状態を示す斜視図である。また、図１２は、上記壁Ｄに断面がコ字状のスペーサＰ１の配置状態を示す正面図である。図１２中の符号Ｖｂは、電源のコンセントであり、符号Ａｔはアンテナ線を繋ぐプラグ指し込み口である。図１５は、スペースユニットの正面板を取り付けた状態の図である。
本実施の形態では、リビング等の壁Ｄに沿うように取り付けられた画像表示装置用スペースユニットＳｎ１が組み付けられている。取り付けられる画像表示装置Ｌは、５０インチ程度の液晶テレビであり、スピーカを備える。なお、これらに背面板を更に追加することも可能である。また、取り付け金具Ｋは、市販の金属製のものであるが、木製や樹脂製のものとして使用することも可能である。
【００２７】
リビングの壁Ｄに沿うように、側面板、正面板等のスペースユニットＳｎ１が組み立てられている。このスペースユニットＳｎ１は、コ字状のスペーサＰ１（Ａ〜Ｄ）とともに、左右の側面板Ｓｒと正面板Ｓｓと天板Ｓｔを所定のユニットとしている。いずれも木製である。正面板Ｓｓは、パーティクルボード等の装飾的ボードが使用され、本実施の形態では３枚の飾り板が組み合わされている。本実施の形態の３枚の正面板Ｓｓ１〜Ｓｓ３は、大きさの異なるものが使用されている。天板Ｓｔは、内部に埃が入らないようにするために配置されているが、なくとも良い。なお、天板の位置を下げて、その上にインテリア用の照明装置を配することも可能である。そして、これらを１セット持ち込んで組み立てられる。上記スペースユニットＳｎ１の大きさは、床面Ｆａから天上Ｆｔ近くまでの高さ（２５００ｍｍ）があり、その幅つまり左右の側面板ＳｒとＳｒの幅は１６００ｍｍであり、各側面板Ｓｒの幅（奥行き）１００ｍｍである。このスペースユニットＳｎ１の大きさ（正面側の面積）は、上記５０インチの液晶テレビ（1098×621）の少なくとも４倍〜６倍以上の面積を有している。このため、上記５０インチの液晶テレビでも十分に支持できる壁の大きさになっている。上記配線類Ａｔ，Ｖｂは、正面板Ｓｓにより見えなくされている。なお、上記配線類Ａｔ，Ｖｂは、電源のコンセント等から上記配線類Ｖｂ等を抜き易くするために、この部分に窓を設けたり、この部分には開閉可能な扉構造にすることも可能である。画像表示装置Ｌの背面に配線類Ａｔ，Ｖｂを通す穴ａが形成されている（図１５（ａ），図１７）。この穴ａは、画像表示装置Ｌの背面に隠れる位置が好ましい。
【００２８】
上記画像表示装置Ｌを壁Ｄに沿わせるように取り付けるに際して、断面がコ字状のスペーサＰ１（Ａ〜Ｄ）を介して正面板Ｓｓに画像表示装置Ｌをその取り付け具Ｋを介して取り付けている（図１６（ｂ）、図１７）。しかし、後述するように、コ字状のスペーサＰ１（Ａ〜Ｄ）に横方向の桟Ｓａを所定間隔で取り付けてから、前記正面板Ｓｓを取り付け、この桟Ｓａ及び正面板Ｓｓに対して上記取り付け具ＫのネジＫｎを螺合させる方法でも良い。上記配線類Ａｔ，Ｖｂは、スペースユニットＳｎ１の正面板Ｓｓに形成された穴ａを介してスペースユニットＳｎ１に収納され（図１５（ａ），図１７）、外部に露出するようなことをなくしている。このような構造のスペースユニットＳｎ１は、木製で、内部空洞状態であり、壁Ｄに伝わるような隣の部屋からの音は、遮断される。なお、ガラスウール、ウレタンスポンジ等の吸音材（図示せず）を詰め込んでも良い。このような構造により、画像表示装置Ｌを視聴する者には、綺麗な音質で音が伝わる。
【００２９】
次に、スペースユニットＳｎ１の取り付け方法としては、まず、リビング等の画像表示装置Ｌを配置することとなる箇所（壁Ｄ）に、断面がコ字状のスペーサＰ１（Ａ〜Ｄ）を取り付ける（図１２）。本実施の形態では、コ字状のスペーサＰ１（Ａ〜Ｄ）と壁Ｄとの接合は、接着剤を使用し、コ字状のスペーサＰ１（Ａ〜Ｄ）と壁Ｄの他方辺Ｐｂよりも長く形成されている一方辺Ｐａ側を壁Ｄと接合している。しかし、これとは逆にしたり、コ字状のスペーサＰ１（Ａ〜Ｄ）の側面側を壁Ｄに接合させるようにしても良い。
【００３０】
断面がコ字状のスペーサＰ１（Ａ〜Ｄ）としては、コ字状のスペーサＰ１Ａ（図２４）、コ字状の側面に四角形状のスペーサＰｄを嵌め込んでコ字状部分が補強されたコ字状のスペーサＰ１Ｂ（図２５）、コ字状のスペーサに予めねじ穴加工が施されたコ字状のスペーサＰ１Ｃ（図２６）等が考えられる。本実施の形態のスペーサは、いずれも木製であり、これ側面板Ｓｒと正面板Ｓｓ１等が木製であることに対応させている。断面がコ字状のスペーサＰ１（Ａ〜Ｄ）は、いずれも木製板を組み合わせて直角部分（９０度）がだせるように組み合わせられている。したがって、２組以上のコ字状のスペーサＰ１（Ａ〜Ｄ）を各々組み合わせて使用しても良い。図２４に示すコ字状のスペーサＰ１Ａは、対向する一方辺Ｐａが他方辺Ｐｂよりも長く形成されている。長い方の辺Ｐａを壁Ｄや床Ｆａや各板の背面等に向けて使用することで、取り付け姿勢が安定すると共に、視覚確認の状態を良好にして取り付ける工夫である。また、長い方の辺Ｐａに壁Ｄ等への取り付けのためのネジ孔を形成し、短い方の辺Ｐｂに配線類Ａｔ，Ｖｂの移動を防止するためのネジ孔を形成して使用することもできる。また、一方辺Ｐａと他方辺Ｐｂには、ネジを通すネジ孔ｎ１，ｎ２が形成されている。いずれも壁Ｄ等への取り付けとして使用できるが、一方辺Ｐａのネジ孔ｎ１は、壁Ｄへの取り付けとして使用し、他方辺Ｐｂのネジ孔ｎ２は、挟み込む配線類の固定のために使用しても良い。図１３と図１４中の符号Ｐ３は、上記配線類Ａｔ，Ｖｂの近傍位置に配されて、これに配線類Ａｔ，Ｖｂがかけまわしたりすることで、絡まないようにする役割を有する。コ字状のスペーサＰ１（Ａ〜Ｄ）としては、一方辺Ｐａと他方辺Ｐｂとが同じ長さのものを使用することも可能である。また、コ字状のスペーサＰ１（Ａ〜Ｄ）は、ネジ孔ｎ２にネジを通して壁Ｄに容易に取り付けることができる。そして、ネジを介して回転させれば、水平姿勢や垂直姿勢等を得ることができる。
【００３１】
コ字状のスペーサＰ１（Ａ〜Ｄ）は、例えば、側面板Ｓｒの取り付けに際しては、コ字状の中央連結部分Ｐｅを上にしたり、又、側面板Ｓｒの取り付けに際しては、コ字状の中央連結部分Ｐｅを横にして側面板Ｓｒの裏面と接するように取り付けたり、コ字状の中央連結部分Ｐｅを下にして床Ｆａと接するように取り付けることができる（図１３中の符号Ｐ４，Ｐ５に示すような取り付け方等種々な取り付けが可能である）。また、対向する一方辺Ｐａと他方辺Ｐｂとの間に四角形状のスペーサＰｄを嵌め込んで面一な面を更に形成して（図２５）、側面板Ｓｒの裏面等や、又、壁Ｄや床（面）Ｆａ等と接するように取り付けることもできる。そして、上記四角形状のスペーサＰｄに壁Ｄ等への取り付けのためのネジ孔を形成したり、配線類Ａｔ，Ｖｂの移動を防止するためのネジ孔を形成して使用することもできる。このような多様な使用が可能であり、これにより、側面板Ｓｒ等を垂直姿勢を維持して取り付けることができるとともに、いずれの姿勢も容易にかつ正確に取り付けることができる。
【００３２】
上記コ字状スペーサＰ１（Ａ〜Ｄ）を配置してから（仮止めしてから）、側面板Ｓｒを取り付けても良く、左右の側面板Ｓｒを上記コ字状スペーサＰ１（Ａ〜Ｄ）を配置しながら取り付けても良い。このような取り付けに対してコ字状のスペーサＰ１（Ａ〜Ｄ）は柔軟に対応して取り付けることができ、その次ぎに桟Ｓａを取り付ける。桟Ｓａは、正面板Ｓｓの補強にもなるものであり、所定間隔をおいて上記コ字状スペーサＰ１（Ａ〜Ｄ）のは位置した箇所に接着剤等を介して取り付ける（図１４）。
【００３３】
ここで、次の取り付け工程としては、正面板Ｓｓを取り付けてから画像表示装置Ｌを取り付け具Ｋを介して取り付ける方法と、画像表示装置Ｌを取り付け具Ｋを介して正面板Ｓｓに取り付けてからその正面板Ｓｓを取り付ける方法がある。まず、正面板Ｓｓを取り付けてから画像表示装置Ｌを取り付け具Ｋを介して取り付ける方法では、上記コ字状のスペーサＰ１（Ａ〜Ｄ）の他辺Ｐｂを正面板Ｓｓの裏面と接触させて接着剤やネジ等を使用して正面板Ｓｓを取り付ける。他方、画像表示装置Ｌを取り付け具Ｋを介して正面板Ｓｓに取り付けてからその正面板Ｓｓを取り付ける方法では、取り付ける対象が中央の正面板Ｓｓ２である場合は、先に正面板Ｓｓ１と正面板Ｓｓ３を先に上記桟Ｓａに対して取り付ける。本実施の形態では、正面板Ｓｓ１と正面板Ｓｓ３の大きさが異なるために、部屋の画像表示装置の設置高さに変更が生じたような場合は、これら正面板Ｓｓ１と正面板Ｓｓ３とを逆に取り付けてもよい。そして、中央の正面板Ｓｓ２に対して画像表示装置Ｌを取り付け具Ｋを介して取り付けてから上記桟Ｓａに対して取り付ける。ここで、部屋の画像表示装置の設置高さに変更が生じたような場合は、上記コ字状のスペーサＰ１（Ａ〜Ｄ）を追加して壁Ｄに取り付け、これらに対して上記中央の正面板Ｓｓ２等を取り付けるとよい。
【００３４】
上記スペースユニットＳｎ１に対して液晶テレビ等の画像表示装置Ｌを取り付けるに際しては、正面板Ｓｓに対して取り付け具ＫのネジＫｎを指し込むことで、取り付け具Ｋを介して画像表示装置ＬをスペーサスユニットＳｎ１に取り付ける（図１６（ｂ））。ネジＫｎは、正面板Ｓｓのみに届くように取り付けても良いが、画像表示装置Ｌが大型のもので重量が嵩むような場合は、桟Ｓａやコ字状のスペーサＰ１（Ａ〜Ｄ）に届くように取り付けると良い。いずれの場合も、壁Ｄにまでは届かないので、壁Ｄにネジによる穴を形成するようなことはない。上記画像表示装置Ｌの配線類Ａｔ，Ｖｂは、スペースユニットＳｎ１の穴ａから収納されているが、上記コ字状スペーサＰ１（Ａ〜Ｄ）が壁Ｄに沿うように多数配されているので、これを使用して、配線類Ａｔ，Ｖｂをコ字状部分で挟んだ状態にしたり、掛け回すようにしたりでき、配線類Ａｔ，Ｖｂの安定性を図りながら取り付けられる。また、コ字状のスペーサＰ１の中央連結部分Ｐｅに対して上記配線類Ａｔ，Ｖｂを押し当てるようにして、配線類Ａｔ，Ｖｂの位置ずれが生じないようにすることもできる。
【００３５】
ここで、画像表示装置Ｌの取り付け具Ｋの形によっては、図１３や１４に示すように、コ字状のスペーサＰ２を配置することが好ましい。すなわち、この図１３や図１４に示す例では、上記取り付け具Ｋの枠Ｋｗの位置に対応するように、その四角形状に合わせてコ字状のスペーサＰ２がその中央部分に数を増やして配置されている。なお、符号Ｋａは、ネジを指し込む穴である。したがって、上記取り付け具ＫのネジＫｎが上記中央の数を増やしたコ字状のスペーサＰ２にも指し込み可能になっている。
【００３６】
（第３の実施形態）
本実施の形態は、液晶テレビ等の画像表示装置Ｌを壁掛けではなく、床上に配される台Ｅの上に配置するとともに、その左右にシアターシステムのスピーカＧを配置した例である。図１８は、その正面図であり、図１９はその平面図であり、図２０は、本実施の形態のスペースユニットの取り付け方法を説明する図である。本実施の形態では、照明装置が上方に配置されている。なお、正面板Ｓｓは黒色としており、これにより椅子に腰掛けて見る人の視覚に反射光が届き難く、そして画像表示装置Ｌを見易くしている。
【００３７】
本実施の形態では、上記第１の実施の形態のスペースユニットＳｎ１を組み立てた後、その前方（図１８において正面側）において左右に各々追加のスペースユニットＳｎａとＳｎｂを配置することにより、この凹状の空間Ｂ，Ｂ１を作り、この凹状の空間Ｂに画像表示装置を配置し、空間Ｂ１にシアターシステムのスピーカＧを配置している。スピーカの線は、スペースユニットＳｎ１や追加のスペースユニットＳｎａとＳｎｂに形成された穴からスペースユニットＳｎ１に収納されて、上記穴ａから画像表示装置と連結されている。なお、スペースユニットＳｎ１は、横方向に長くすると、部屋を広く認識させ、縦長にすると（高さを高くすると）、画像表示装置Ｌを大きく認識させる効果がある。
【００３８】
このようなスペースユニットＳｎ２は、図１９に示すように、上記第１の実施の形態の正面側に更に、上記コ字状のスペーサＰ１（Ａ〜Ｄ）を使用して、凸部Ｓｎａ，Ｓｎｂを左右に２箇所配置することで、上記中央の凹部Ｂと左右の凹部Ｂ１を形成している。このように上記スペースユニットＳｎ２の配置構造は、液晶テレビ等の画像表示装置Ｌの配置やシアターシステムのスピーカＧや録画装置の配置等に合わせて種々の変更が可能である。なお、上記台Ｅには、録画機器等が収納されて、その接続もスペースユニットＳｎ１等に形成された穴からスペースユニットＳｎ１に収納されて、上記穴ａから画像表示装置と連結されている。
【００３９】
（第４の実施の形態）
本実施の形態は、上記スペースユニットＳｎ１に対して棚Ｔを加えたものである。図２１は、棚を加えたスペースユニットＳｎ２の取り付け状態の図である。ここで、上記スペースユニットＳｎ１は、第１の実施の形態の上方側のみで構成され、上記棚Ｔを有する第２のスペースユニットＳｎ２が上記スペースユニットＳｎ１の下方側に配置されている。第２のスペースユニットＳｎ２は、左右の側面板Ｓｒ２と、正面板Ｓｓ３と、棚Ｔから構成され、これらが上記コ字状のスペーサＰ１（Ａ〜Ｄ）を使用して連結されている。なお、これらに背面板を更に追加することも可能である。
【００４０】
棚Ｔは、ＤＶＤ、ＣＤやビデオ等を収納するためのものであり、左右一組の棚台Ｔ１，Ｔ１と、中間天板Ｓｔ２２と奥板Ｔａとにより構成されている（図２２）。また、必要に応じて調整用背板Ｔｂを使用する。左右一組の棚台Ｔ１，Ｔ１は、奥板Ｔａを有する断面コ字状のもので、奥板Ｔａの先端部Ｔａ１が突出して、中間天板Ｓｔ２２に形成されたガイド溝Ｓｔｗに沿って移動する構成である（図２３）。中間天板Ｓｔ２２には、左右一組の棚台Ｔ１，Ｔ１が、それぞれ棚台Ｔ１から下方向に突出した奥板Ｔａを介してガイド溝Ｓｔｗに移動自在に取り付けられ、左右一組の棚台Ｔ１，Ｔ１の間には、調整用背板Ｔｂが同じくガイド溝Ｓｔｗに取り付けられている。調整用背板Ｔｂは、スペースユニットＳｎの天板Ｓｔ３の長さに合わせて、現場で適宜調整用背板Ｔｂの長さを加工する。左右一組の棚台Ｔ１とＴ１を合わせた長さが、天板Ｓｔ３の長さに対応していれば、調整用背板Ｔｂは、なくしてもよい。このようにして、棚Ｔの長さを決定してから、これに合わせて正面板Ｓｓや背面板Ｓｈ等の長さを決定して、短くなる場合はこれらを切断する。したがって、部屋の実情や画像表示装置Ｌの大きさ等に合わせて第２のスペースユニットＳｎ２の大きさを調節することができる。そして、この第２のスペースユニットＳｎ２の配置を予め定めてから、上記スペースユニットＳｎ１をその上に配置すると良い。なお、上記スペースユニットＳｎ１の組み立てを行ってから、これに合わせるように第２のスペースユニットＳｎ２を組み立てることも可能である。
【００４１】
ここで、コ字状のスペーサＰ１（Ａ〜Ｄ）と壁Ｄとの接合は、接着剤を使用したが、ネジ等を使用しても良い。この場合は、壁Ｄにネジ穴が開けられることとなるが、それはスペースユニットＳｎ１の取り付けのためのものであり、従来のように、取付金具によるネジ穴ではないことから、大きな穴に発展したり、壁Ｄを壊すようなおそれのないものである。
【００４２】
以上、本実施の形態では、側面板、正面板等のスペースユニットを使用して説明したが、さらに天板などを有するものでも良い。また、上方に照明をインテリアとして、これらを隠しながら接地することも可能である。また、配線類としては、電源のコードとアンテナ線の場合で説明したが、ビデオやＤＶＤ等の録画機器やパソコンとの接続コードを使用しても良く、これらも内部中空のスペースユニットＳｎの内部に収納させることができるものである。また、このように、本発明は、その趣旨を逸脱しない範囲で適宜変更が可能であることは言うまでもない。
【図面の簡単な説明】
【００４３】
【図１】本発明の第１の実施の形態の画像表示装置用スペースユニットの斜視図である。
【図２】上記第１の実施の形態の画像表示装置用スペースユニットの取り付け方法を説明する図である。
【図３】上記第１の実施の形態の画像表示装置用スペースユニットの取り付け方法を説明する図である。
【図４】上記第１の実施の形態の画像表示装置用スペースユニットの取り付け方法を説明する図である。
【図５】上記第１の実施の形態の画像表示装置用スペースユニットの取り付け方法を説明する図であり、正面板を取り付けた状態の図であり、（ａ）はその正面図であり、（ｂ）はその側面側の断面図である。
【図６】上記第１の実施の形態の画像表示装置用スペースユニットの取り付け方法を説明する図であり、画像表示装置を取り付けた状態の図であり、（ａ）はその正面図であり、（ｂ）はその側面側の断面図である。
【図７】上記第１の実施の形態の画像表示装置を取り付けた状態の斜視図である。
【図８】本発明の第２の実施の形態の画像表示装置用スペースユニットの取り付け方法を説明する図である。
【図９】上記第１の実施の形態の収納ユニット（ＡＶキャビネット）の他の例を示す斜視図である。
【図１０】上記第１の実施の形態の画像表示装置用スペースユニットの他の例を示す斜視図である。
【図１１】本発明の第２の実施の形態の画像表示装置用スペースユニットの斜視図である。
【図１２】上記第２の実施の形態の画像表示装置用スペースユニットの取り付け方法を説明する図である。
【図１３】上記第２の実施の形態の他の取り付け方法を説明する図である。
【図１４】上記第２の実施の形態の取り付け方法を説明する図である。
【図１５】上記第２の実施の形態の画像表示装置用スペースユニットの取り付け方法を説明する図であり、正面板を取り付けた状態の図であり、（ａ）はその正面図であり、（ｂ）はその側面側の断面図である。
【図１６】上記第２の実施の形態の画像表示装置用スペースユニットの取り付け方法を説明する図であり、画像表示装置を取り付けた状態の図であり、（ａ）はその正面図であり、（ｂ）はその側面側の断面図である。
【図１７】上記第２の実施の形態の画像表示装置を取り付けた状態の斜視図である。
【図１８】本発明の第３の実施の形態の画像表示装置用スペースユニットの取り付け方法を説明する図である。
【図１９】上記第３の実施の形態の画像表示装置用スペースユニットの取り付け方法を説明する図である。
【図２０】本発明の第３の実施の形態の画像表示装置用スペースユニットの取り付け方法を説明する図である。
【図２１】上記第４の実施の形態の画像表示装置用スペースユニットの取り付け状態を示す図である。
【図２２】上記第４の実施の形態の画像表示装置用スペースユニットの棚の構造を説明する斜視図である。
【図２３】本発明の第４の実施の形態の第２のスペースユニットの取り付け状態を説明する斜視図である。
【図２４】本発明の断面がコ字状のスペーサの例を説明する図であり、（ａ）はその斜視図であり、（ｂ）はその正面図であり、（ｃ）はその側面図であり、（ｄ）はその平面図である。
【図２５】本発明の断面がコ字状のスペーサの例を説明する図であり、（ａ）はその斜視図であり、（ｂ）はその正面図であり、（ｃ）はその側面図であり、（ｄ）はその平面図である。
【図２６】本発明の断面がコ字状のスペーサの例を説明する図であり、（ａ）はその斜視図であり、（ｂ）はその正面図であり、（ｃ）はその側面図であり、（ｄ）はその平面図である。
【図２７】上記第４の実施の形態に使用する棚の棚台を説明する斜視図である。
【符号の説明】
【００４４】
Ｄ  リビング等の壁、
Ｓｒ  側面板（スペースユニット）、
Ｓｓ，Ｓｎａ，Ｓｎｂ，Ｓｓ１，Ｓｓ２，Ｓｓ３  正面板（スペースユニット）、
Ｓｎ，Ｓｎａ，Ｓｎｂ，Ｓｎ１，Ｓｎ２，Ｓｎ３  スペースユニット、
Ｓａ  桟、
Ｓｋ  壁の中の桟、
Ｐ１，Ｐ１Ａ，Ｐ１Ｂ，Ｐ１Ｃ，Ｐ１Ｄ  コ字状のスペーサ、
Ｐａ  コ字状のスペーサの一方辺、Ｐｂ  コ字状のスペーサの他方辺、
Ｐｅ  コ字状のスペーサのコ字状の中央連結部分、
Ｖｂ，Ａｔ  配線類、
Ｔ    棚、Ｔ１  棚台  Ｔａ  奥板、Ｔａ１  奥板の先端、Ｓｔｗ  ガイド溝、
【図１】
2010062796.tif 000003
【図２】
2010062796.tif 000004
【図３】
2010062796.tif 000005
【図４】
2010062796.tif 000006
【図５】
2010062796.tif 000007
【図６】
2010062796.tif 000008
【図７】
2010062796.tif 000009
【図８】
2010062796.tif 000010
【図９】
2010062796.tif 000011
【図１０】
2010062796.tif 000012
【図１１】
2010062796.tif 000013
【図１２】
2010062796.tif 000014
【図１３】
2010062796.tif 000015
【図１４】
2010062796.tif 000016
【図１５】
2010062796.tif 000017
【図１６】
2010062796.tif 000018
【図１７】
2010062796.tif 000019
【図１８】
2010062796.tif 000020
【図１９】
2010062796.tif 000021
【図２０】
2010062796.tif 000022
【図２１】
2010062796.tif 000023
【図２２】
2010062796.tif 000024
【図２３】
2010062796.tif 000025
【図２４】
2010062796.tif 000026
【図２５】
2010062796.tif 000027
【図２６】
2010062796.tif 000028
【図２７】
2010062796.tif 000029